(57)【特許請求の範囲】
【請求項１】
第１の光学手段と、
前記第１の光学手段よりも撮像側にある第２の光学手段と、
接着材を使って前記第１の光学手段を固定する光学部結合部と、前記第２の光学手段を保持する保持部材に設けられた突起部が侵入可能な開口部とを有する光学保持手段と、
接着テープで前記光学保持手段に固定されて中空部に前記第１の光学手段が嵌合するシートであって、当該光学保持手段に固定されることで前記光学結合部と前記開口部を封止するシートとを備え、
前記光学保持手段の開口部の前方にあって前記シートの一部を差し込むことが可能なシート規制手段を前記光学保持手段に備えることを特徴とする撮影装置。
【請求項２】
前記光学部結合部に固定された前記第１の光学手段を挟んで前記開口部と対向する位置において前記シートは前記光学保持手段と固定されていることを特徴とする請求項１記載の撮影装置。
【請求項３】
前記シートは後方から侵入してくる可動手段により前方に移動し、前記シート規制手段により前方に移動する位置を規制されることを特徴とする請求項１又は２記載の撮影装置。
【発明の詳細な説明】
【技術分野】
【０００１】
本発明は、フィルムカメラやデジタルカメラ等の撮影装置（撮像装置）に関し、特に、レンズの保持機構に特徴のある撮影装置に関するものである。
【背景技術】
【０００２】
従来から銀塩フィルムを用いるフィルムカメラは広く普及しているが、近年、フィルムを使用せずに画像をメモリに取り込むことができるデジタルカメラが急速に普及している。
【０００３】
銀塩フィルムカメラでもデジタルカメラでも、レンズ以外の周辺より前方の光線が鏡筒内部に侵入することは、撮影画像に有害光が写り込む結果となり、この有害光の侵入を防止するために様々な方策が採られてきた。
【０００４】
例えば、特許文献１には、以下の構成のレンズ鏡筒が開示されている。
【０００５】
鏡筒の前面開口から入射した光がレンズ保持部材に保持されたレンズを透過して所定位置に導かれるよう構成する。そして、レンズ保持部材の内部に入り込んだ光が該レンズ保持部材の外周面から漏れるのを防止すべくその外周面に第１の遮光部材を密着して巻付ける。また、鏡筒の前面開口から入射した光がレンズ保持部材の前面側から外周面側に回り込むのを防止するために、第１の遮光部材を前面開口近傍まで光軸方向に延長する。
【特許文献１】特開平１０−１２３３９０号公報
【発明の開示】
【発明が解決しようとする課題】
【０００６】
上記特許文献１においては、円筒状のレンズホルダの側面に遮光用の部品を巻き付けることによって、有害光を防止しようとしている。
【０００７】
しかし、有害光は、特許文献１のように筒の外周から侵入してくるもの以外にも様々のものが発生し、それら全ての有害光に対処する必要がある。
【０００８】
本発明の目的は、有害光の侵入を確実に防止することができる撮影装置を提供することにある。
【課題を解決するための手段】
【０００９】
上記目的を達成するために、請求項１記載の撮影装置は、第１の光学手段と、前記第１の光学手段よりも撮像側にある第２の光学手段と、接着材を使って前記第１の光学手段を固定する光学部結合部と、前記第２の光学手段を保持する保持部材に設けられた突起部が侵入可能な開口部とを有する光学保持手段と、接着テープで前記光学保持手段に固定されて中空部に前記第１の光学手段が嵌合するシートであって、当該光学保持手段に固定されることで前記光学結合部と前記開口部を封止するシートとを備え、前記光学保持手段の開口部の前方にあって前記シートの一部を差し込むことが可能なシート規制手段を前記光学保持手段に備えることを特徴とする。
【発明の効果】
【００１０】
本発明の撮影装置によれば、有害光の侵入を確実に防止することができる。
【発明を実施するための最良の形態】
【００１１】
以下、本発明の実施の形態を図面を参照しながら詳細に説明する。
【００１２】
図１は、本発明の実施の形態に係る撮影装置としてのデジタルカメラの電源をオフにした状態の外観斜視図、図２は、本発明の実施の形態に係る撮影装置としてのデジタルカメラの電源をオンにした状態の外観斜視図である。また、図３は、本発明の実施の形態に係る撮影装置としてのデジタルカメラの上面図、図４は、本発明の実施の形態に係る撮影装置としてのデジタルカメラの背面図、図５は、本発明の実施の形態に係る撮影装置としてのデジタルカメラの底面図である。また、図６は、本発明の実施の形態に係る撮影装置としてのデジタルカメラのブロック図である。
【００１３】
本実施の形態で示すデジタルカメラ１２は、撮影倍率を変更できるズーム機構を有する。デジタルカメラ１２の正面には、被写体の構図を決めるファインダ１７、測光測距を行う場合の光源の補助を行う補助光源１６、ストロボ１８、レンズ鏡筒（撮影レンズ鏡筒）１が備えられている。
【００１４】
デジタルカメラ１２の上面には、レリーズボタン１３、ズームスイッチ１４、電源切換えボタン１５が配置されている。また、デジタルカメラ１２の底面には、三脚取付部２７、メモリカードドライブ４２及びバッテリ挿入部（不図示）が内部に備えられているカードバッテリカバー２８が配置されている。
【００１５】
デジタルカメラ１２の背面には、操作ボタン２１乃至２６が配置され、様々な機能切換えを行うことができる。また、デジタルカメラ１２の背面には、ファインダ接眼部１９、ＬＣＤよりなるディスプレイ２０が配置されている。
【００１６】
操作ボタン２１乃至２６によりデジタルカメラの動作モード、例えば、撮影モード、再生モード、動画撮影モード等の選択を行う。
【００１７】
次に、図６に示す構成を動作と併せて説明する。
【００１８】
ディスプレイ２０は、画像表示部であり、メモリ４０に保存された画像データやメモリカードから読み込んだ画像データを画面上に表示する。また、モードを選択すると複数の撮影データを縮小して画面表示することもできる。
【００１９】
制御部は、ＣＰＵ４６、ＲＯＭ４５、ＲＡＭ４７で構成され、バス４４を介してレリーズボタン１３、操作ボタン２１乃至２６、ディスプレイ２０、メモリ４０、メモリカードドライブ４２等の各種構成要素が接続されている。
【００２０】
バス４４を介して制御部と接続する駆動回路４３には、ズームモータ駆動部２９、フォーカスモータ駆動部３１、シャッタ駆動部３２、絞り駆動部３５、ＣＣＤやＣＭＯＳ等の撮像素子３７、ストロボ１８が接続されている。
【００２１】
ズームモータ駆動部２９はレンズ鏡筒１を駆動する。フォーカスモータ駆動部３１はフォーカス部３０を駆動する。シャッタ駆動部３２はシャッタ部３３を駆動する。絞り駆動部３５は絞り部３４を駆動する。制御部からの信号により各々の駆動を制御することになる。
【００２２】
ＲＯＭ４５には、上述の各機能構成要素を制御するプログラムが記憶されている。ＲＡＭ４７には、各制御プログラムに必要なデータが記憶されている。
【００２３】
使用者が電源切換えボタン１５を操作することで電源をオフからオンにすると、ＣＰＵ４６は、ＲＯＭ４５から必要な制御プログラムを読み出して初期動作を開始する。つまり、ＣＰＵ４６は、レンズ鏡筒１を所定の撮影可能領域に移動させ、撮影機能を立ち上げて、撮影スタンバイ状態にする。
【００２４】
撮影を行うためにレリーズボタン１３を押すと、撮像素子３７により被写体の明るさを検知し、その測光値に基づき、絞り値やシャッタスピード、また、ストロボ１８を発光するかどうかを判断する。また、予め、操作ボタン２１によって使用者がストロボ１８を強制的に発光させるか、発光させないかを選択することもできる。
【００２５】
次に、測距を行い、被写体との距離を測定して、フォーカスモータ駆動部３１を駆動することにより、所定のフォーカス位置へフォーカス部３０を移動させる。次に、シャッタ部３３の開閉を行い、所望の画像を撮像素子３７に取り込む。
【００２６】
撮像素子３７には、露光制御値に基づいて入射した光の光量に応じた電荷が蓄積され、その電荷が画像信号となり、アナログ信号処理部３６へと出力される。
【００２７】
アナログ信号処理部３６では、取り込まれた画像データにアナログ処理を施し、Ａ／Ｄ変換部３８に出力する。Ａ／Ｄ変換部３８では、取り込まれたアナログデータをデジタルデータに変換する。このデジタルデータをデジタル信号処理部３９に出力し、ここでデジタルデータの処理を行う。最終的にデジタルデータはメモリ４０に記憶されることになる。
【００２８】
メモリ４０に記憶されたデータは、操作ボタン２２の操作によって圧縮伸張部４１により、ＪＰＥＧやＴＩＦＦ等の圧縮加工等を施し、メモリカードに出力され、記憶される。
【００２９】
また、メモリ４０を持たないデジタルカメラの場合、デジタル信号処理部３９で処理されたデジタルデータを圧縮伸張部４１に出力し、メモリカードドライブ４２へ記憶させることになる。
【００３０】
メモリ４０に記憶された画像データやメモリカードドライブ４２に記憶されている画像データを、圧縮伸張部４１によって伸張処理し、その画像データを、バス４４を介してディスプレイ２０に表示させることができる。このディスプレイ２０上のデータを使用者が見ることで、その画像が不必要であると判断すると、使用者は操作ボタン２３の操作によって、その画像を消去することができる。
【００３１】
上面のズームスイッチ１４を操作して、駆動回路４３を介してズームモータ駆動部２９を制御することにより、レンズ鏡筒１をレンズの光軸方向に移動させる。また、ディスプレイ２０上に表示されている記憶画像を、ズームスイッチ１４の操作で拡大及び縮小する、いわゆるデジタルズームを行うことができる。
【００３２】
次に、図１のデジタルカメラ１２に備えられたレンズ鏡筒１に備えられている各レンズ群の構成について説明する。
【００３３】
図７は、図１におけるレンズ鏡筒のレンズ保持機構の分解斜視図、図８は、図１におけるレンズ鏡筒のレンズ保持機構の斜視図、図９は、図１におけるレンズ鏡筒のレンズ保持機構の断面図である。
【００３４】
撮影光学系の一つである光学部８を中心に保持する光学保持部２の前方には、光学部８を光学保持部２に固定する光学部結合部５が設けられている。光学部結合部５は紫外線硬化型の接着剤等が用いられる。
【００３５】
光学保持部２の前方上部には開口部６が設けられている。この開口部６には、図９に示されるように、第二光学部９を備える第二光学部保持部１０に設けられている突起形状の可動部１１が侵入するようになっている。
【００３６】
この開口部６が存在すると、本来なら光学部８であるレンズを通過した光線のみを有効光線として使用したいわけであるが、開口部６を通過した光線が鏡筒内部に侵入した場合、有害光として、実際の被写体とは違う影等が映り込んでしまうことになる。そのため、本実施の形態では、シート状の開口封止部材３を前方より被せることで開口部６を塞ぐ。
【００３７】
開口封止部材３の上部には開口封止部３ａが設けられている。開口封止部材３は、中空形状（中空部）を有しており、光学部８の外周にこの中空部を嵌合することで、開口封止部材３の位置規制を行う。また、開口部６の前方に開口封止部材規制部（開口封止手段規制手段）４を設け、ここに開口封止部３ａを差込むことで、開口封止部材３の回転規制を行う。
【００３８】
開口封止部材３の上部の開口封止部３ａを開口封止部材規制部４に差込み、開口封止部材３の下部を接着テープ等で光学保持部２に固定することで、開口封止部材３は光学保持部２に固定される。即ち、光学部８を挟んで開口部６と対向する位置において開口封止部材３は光学保持部と固定されている。図８は、開口封止部材３と光学保持部２を固定した状態を示す。
【００３９】
このようにすると、光学保持部２の前方に設けられていた光学部結合部（光学手段結合手段）５も塞ぐことができ、外観上の品位も上がる。また、本実施の形態の場合では、光学保持部２の前方に樹脂部材を成型する時に付属するいわゆるゲート部７が設けられているが、このゲート部７も同時に開口封止部材３によって塞ぐ。
【００４０】
図９に示すように、光学保持部２の後方に第二光学部保持部１０が最接近した場合は、可動部１１が開口部６に最も侵入した状態になるが、そのときは、開口封止部材３の開口封止部３ａは可動部１１に押圧されて光軸前方に移動する。このとき、開口封止部３ａが移動し過ぎて飛び出さないように、開口封止部材規制部４によって前方を規制している。また、可動部１１が後方に移動した時は、開口封止部３ａも後方へ戻る。
【００４１】
図１０は、図６のデジタルカメラによって実行される撮影処理の手順を示すフローチャートである。
【００４２】
本処理は、図６における制御部（ＣＰＵ４６、ＲＯＭ４５、ＲＡＭ４７）の制御の下に実行される。
【００４３】
図１０において、使用者が撮影装置（デジタルカメラ）の電源をオンすると（ステップＳ１０１）、ＣＰＵ４６は、ズームモータ駆動部２９に指令を送り、鏡筒駆動モータをＣＷ回転させる（ステップＳ１０２）。
【００４４】
その後、所定の動作を行い、レンズ鏡筒１（のレンズ保持部１ａ）が撮影位置に移動したことが確認できたらレンズ鏡筒１を停止させる（ステップＳ１０３）。このとき、図１の状態から図２の状態へレンズ鏡筒１の状態は変化する。
【００４５】
次に、使用者がレリーズボタン１３をオンすると（ステップＳ１０４）、撮像素子（測光部）３７は測光を行い、被写体の輝度情報を得る。得られた輝度情報が既定の輝度より高輝度の場合（ステップＳ１０６でＹＥＳ）、絞り部３４を光軸内に侵入させ、入射光量を変化させる（ステップＳ１０７）。得られた輝度情報が既定の輝度より低輝度の場合（ステップＳ１０６でＮＯ）、絞り部３４の動作は行わず光軸より退避した状態にしておく。
【００４６】
その後、フォーカス部３０を作動させて、被写体のピントが合う位置へ移動させ（ステップＳ１０８）、そこで画像の取り込みを開始する（ステップＳ１０９）。次に、シャッタ部３３を開状態から閉状態へ移動させ（ステップＳ１１０）、入射光量を遮り、画像取り込みは終了となる（ステップＳ１１１）。その後、絞り部３４を光軸から退避させ（ステップＳ１１２）、フォーカス部３０を初期位置に移動させて（ステップＳ１１３）、本処理は終了となる。
【００４７】
本実施の形態によれば、光学保持部２に開口部６が形成されていても、有害光の侵入を防止することができ、さらに前方からの外観が良好なレンズ保持機構を有する撮影装置を提供することができる。
【図面の簡単な説明】
【００４８】
【図１】本発明の実施の形態に係る撮影装置としてのデジタルカメラの電源をオフにした状態の外観斜視図である。
【図２】本発明の実施の形態に係る撮影装置としてのデジタルカメラの電源をオンにした状態の外観斜視図である。
【図３】本発明の実施の形態に係る撮影装置としてのデジタルカメラの上面図である。
【図４】本発明の実施の形態に係る撮影装置としてのデジタルカメラの背面図である。
【図５】本発明の実施の形態に係る撮影装置としてのデジタルカメラの底面図である。
【図６】本発明の実施の形態に係る撮影装置としてのデジタルカメラのブロック図である。
【図７】図１におけるレンズ鏡筒のレンズ保持機構の分解斜視図である。
【図８】図１におけるレンズ鏡筒のレンズ保持機構の斜視図である。
【図９】図１におけるレンズ鏡筒のレンズ保持機構の断面図である。
【図１０】図６のデジタルカメラによって実行される撮影処理の手順を示すフローチャートである。
【符号の説明】
【００４９】
１  レンズ鏡筒
２  光学保持部
３  開口封止部材
３ａ  開口封止部
４  開口封止部材規制部
５  光学部結合部
６  開口部
７  ゲート部
８  光学部
９  第二光学部
１０  第二光学部保持部
１１  可動部
【図１】
0004954036.tif 000002
【図２】
0004954036.tif 000003
【図３】
0004954036.tif 000004
【図４】
0004954036.tif 000005
【図５】
0004954036.tif 000006
【図６】
0004954036.tif 000007
【図７】
0004954036.tif 000008
【図８】
0004954036.tif 000009
【図９】
0004954036.tif 000010
【図１０】
0004954036.tif 000011